(57)【要約】【課題】従来のファイルシステムとの互換性を保ちつつも、より多くのファイルを管理できる新しいファイルシステムを提供し、１枚のディスクをＡＶ機器とＰＣ間で使用できる環境を作る。【解決手段】本発明によれば、ＡＶＦＳ（ＡＶ用ファイルシステム）を主にＰＣＦＳ（ＰＣ用ファイルシステム）を組み合わせる、またＡＶＦＳとＰＣＦＳを併用する。【効果】本発明によれば、２つのファイルシステムを組み合わせる、また併用することで、従来の一方のファイルシステムとの互換性を保ちつつも、より多くのファイルを管理できる新しいファイルシステムを提供し、１枚のディスクを複数環境で使用できる環境を実現することが可能となる。【選択図】  図１
2005032283.tif 000002
【特許請求の範囲】
【請求項１】
書き込みデータを格納するためのファイルと該ファイルを管理するファイル管理情報が記録された記録媒体であって、
前記ファイル管理情報として第１のファイルを管理する第１のファイル管理情報と該第１のファイル管理情報とは異なる第２のファイルを管理する第２のファイル管理情報とが記録され、前記第２のファイル管理情報にて管理できるファイル数は前記第１のファイル管理情報にて管理できるファイル数に比べて多く、前記第１のファイル管理情報は前記第１のファイル及び前記第２のファイルの記録領域を管理する管理情報を含むことを特徴とする記録媒体。
【請求項２】
書き込みデータを格納するためのファイルと該ファイルを管理するファイル管理情報が記録された記録媒体であって、
前記ファイル管理情報として第１のファイルを管理する第１のファイル管理情報と該第１のファイル管理情報とは異なる第２のファイルを管理する第２のファイル管理情報とが記録され、前記第２のファイル管理情報にて管理できるファイル数は前記第１のファイル管理情報にて管理できるファイル数に比べて多く、前記第２のファイル管理情報は前記第１のファイル及び前記第２のファイルの記録領域を管理する管理情報を含むことを特徴とする記録媒体。
【請求項３】
請求項１又は請求項２記載の第１のファイルはＡＶファイルであり、第２のファイルはＰＣファイルであることを特徴とする記録媒体。
【請求項４】
請求項１又は請求項２記載の前記第１のファイル管理情報は複数種のテーブルで構成されることを特徴とする記録媒体。
【請求項５】
請求項１又は請求項２記載の前記第２のファイル管理情報はテーブルを含まずに構成されることを特徴とする記録媒体。
【請求項６】
請求項１又は請求項２記載の前記第１のファイル管理情報と前記第２のファイル管理情報とは各々複数種のテーブルで構成されされることを特徴とする記録媒体。
【請求項７】
請求項１記載の前記第１のファイル管理情報は、前記第２のファイル管理情報を管理する管理情報を含むことを特徴とする記録媒体。
【請求項８】
請求項１記載の前記第１のファイル管理情報には、ファイルの属性を示す属性情報を含むことを特徴とする記録媒体。
【請求項９】
請求項８に記載の前記属性情報は、ファイル名であることを特徴とする記録媒体。
【請求項１０】
請求項２記載の前記第２のファイル管理情報は、前記第１のファイル管理情報を管理する管理情報を含むことを特徴とする記録媒体。
【請求項１１】
請求項２記載の前記第２のファイル管理情報には、ファイルの属性を示す属性情報を含むことを特徴とする記録媒体。
【請求項１２】
請求項１１に記載の前記属性情報は、ファイル名であることを特徴とする記録媒体。
【請求項１３】
請求項１から請求項１２記載の記録媒体の第１のファイル又は第２のファイルへ書き込むデータの種類に応じて記録を行なうことを特徴とする記録装置。
【請求項１４】
請求項１から請求項１２記載の記録媒体の第１のファイル又は第２のファイルからデータを読み出して再生することを特徴とする再生装置。
【請求項１５】
請求項１記載の前記第１のファイル管理情報はディレクトリ構造であり、前記第１のファイル記録領域に関するディレクトリ及び前記第２のファイル記録領域に関するディレクトリを有することを特徴とする記録媒体。
【請求項１６】
請求項２記載の前記第２のファイル管理情報はディレクトリ構造であり、前記第１のファイル記録領域に関するディレクトリ及び前記第２のファイル記録領域に関するディレクトリを有することを特徴とする記録媒体。
【請求項１７】
請求項１５記載の記録媒体を再生する再生装置であって、前記第１のファイル管理情報のディレクトリをモニターへ表示する際には、前記第１のファイル記録領域に関するディレクトリを表示して、前記第２のファイル記録領域に関するディレクトリは表示しないことを特徴とする再生装置。
【請求項１８】
請求項１６記載の記録媒体を再生する再生装置であって、前記第２のファイル管理情報のディレクトリをモニターへ表示する際には、前記第２のファイル記録領域に関するディレクトリを表示して、前記第１のファイル記録領域に関するディレクトリは表示しないことを特徴とする再生装置。
【発明の詳細な説明】
【０００１】
【発明の属する技術分野】
本発明は、記録媒体に記録されたファイル管理に関するものであり、特にランダムアクセスが可能な記録媒体上に、ファイル形式のデータを記録し再生する際に用いるファイル管理に関するものである。例えば、光ディスクや磁気ディスク、半導体メモリに適用可能である。
【０００２】
【従来の技術】
光ディスク装置や磁気ディスク装置などの記録媒体では、記録したデータファイルへのアクセスを容易にするため、データをファイル形式で記録している。この際、これらデータファイルを管理するために、一般的にファイルシステムと呼ばれる管理方法を用いている。
【０００３】
記録媒体に記録されたファイルに関する情報はデータ同様に記録媒体に保存される。この情報をファイル管理情報と呼ぶ。
【０００４】
一般に広く普及している光ディスクとして、ＣＤ−ＲＯＭがあげられる。ＣＤ−ＲＯＭでは、ＩＳＯ−９６６０と呼ばれるファイルシステムが一般的に使用されている。ＩＳＯ−９６６０では、パステーブルと呼ばれるテーブルを使用して、ディレクトリ構造の記述を行っている。このパステーブルには、順番に番号が付加されており、１６ビットの値が割り当てられている。
【０００５】
一方、より高密度な光ディスクとして普及しつつあるＤＶＤには、ＵＤＦ（Ｕｎｉｖｅｒｓａｌ  Ｄｉｓｃ  Ｆｏｒｍａｔ）と呼ばれるファイルシステムが広く用いられている。ＵＤＦでは、ディレクトリごとにファイル識別子とファイルテーブルというテーブルを使用してディレクトリ構造の記述を行っている。
【０００６】
また、ＡＶデータの記録再生用として、特開平１１−３１２３７８号公報のようなファイルシステムが考案されている。この公知例に記載されたファイルシステムでは、ファイル管理のために、ファイル管理情報としてファイルテーブルなどのデータ管理テーブルを使用しているが、これも登録されるテーブル管理に１６ビットの番号を割り当てている。
【０００７】
【特許文献１】
特開平１１−３１２３７８号公報（第２２頁、表３２）
【０００８】
【発明が解決しようとする課題】
従来の多くのファイルシステムでは、ファイル管理に使用するテーブルの番号が１６ビットの値で表されており、０〜６５５３５までの値を取る。したがって、最大でも６５５３６種類のテーブルしか作成することが出来ないため、当該ファイルシステムで管理できるファイルやディレクトリの数が６５５３６個に制限されるものであった。
【０００９】
一方で、光ディスクや磁気ディスクに代表される記録媒体の記録容量は年々増加の一途をたどっており、記録するファイルの数も増大している。
【００１０】
にもかかわらず、ファイルシステムとして、従来の延長上にあるものが広く使用されており、大容量ディスクを使用する際には必ずしも適するものではなかった。
【００１１】
また、ＵＤＦ等のＰＣ用ファイルシステムを使用すれば、テーブル数に制限がないため、多くのファイルを扱うことが出来るが、必ずしも全ての機器でＰＣ用ファイルシステムがサポートされている訳ではない。
【００１２】
ファイルシステムの構造を変化させると、従来の機器との互換性が失われてしまうため、ファイルシステム自体の大幅な変更は避けるべきである。特に、ビデオディスクレコーダを始めとするＡＶ（オーディオ・ビジュアル）機器では、ソフトウェアの変更が困難であり、従来のファイルシステムと互換性のないディスクを再生することは出来ない。
【００１３】
また、ＰＣ用途では、サイズの小さなファイルを多数扱う必要がある。通常、光ディスクなどの記録媒体では、書き換え可能な単位が比較的大きいため、小さなファイルを記録する場合に記録領域が無駄になりやすいものであった。
【００１４】
本発明の目的は、従来のファイルシステムとの互換性を保ちつつも、より多くのファイルを管理できる新しいファイルシステムを提供し、１枚のディスクを自由にＡＶ機器とＰＣ間で使用できる環境を作ることにある。
【００１５】
【課題を解決するための手段】
本発明の目的は、次の（１）〜（６）により達成される。
（１）書き込みデータを格納するためのファイルと該ファイルを管理するファイル管理情報が記録された記録媒体であって、
前記ファイル管理情報として第１のファイルを管理する第１のファイル管理情報と該第１のファイル管理情報とは異なる第２のファイルを管理する第２のファイル管理情報とが記録され、前記第２のファイル管理情報にて管理できるファイル数は前記第１のファイル管理情報にて管理できるファイル数に比べて多く、前記第１のファイル管理情報は前記第１のファイル及び前記第２のファイルの記録領域を管理する管理情報を含むことを特徴とする記録媒体。
（２）書き込みデータを格納するためのファイルと該ファイルを管理するファイル管理情報が記録された記録媒体であって、
前記ファイル管理情報として第１のファイルを管理する第１のファイル管理情報と該第１のファイル管理情報とは異なる第２のファイルを管理する第２のファイル管理情報とが記録され、前記第２のファイル管理情報にて管理できるファイル数は前記第１のファイル管理情報にて管理できるファイル数に比べて多く、前記第２のファイル管理情報は前記第１のファイル及び前記第２のファイルの記録領域を管理する管理情報を含むことを特徴とする記録媒体。
（３）（１）記載の前記第１のファイル管理情報はディレクトリ構造であり、前記第１のファイル記録領域に関するディレクトリ及び前記第２のファイル記録領域に関するディレクトリを有することを特徴とする記録媒体。
（４）（２）記載の前記第２のファイル管理情報はディレクトリ構造であり、前記第１のファイル記録領域に関するディレクトリ及び前記第２のファイル記録領域に関するディレクトリを有することを特徴とする記録媒体。
（５）（３）記載の記録媒体を再生する再生装置であって、前記第１のファイル管理情報のディレクトリをモニターへ表示する際には、前記第１のファイル記録領域に関するディレクトリを表示して、前記第２のファイル記録領域に関するディレクトリは表示しないことを特徴とする再生装置。
（６）（４）記載の記録媒体を再生する再生装置であって、前記第２のファイル管理情報のディレクトリをモニターへ表示する際には、前記第２のファイル記録領域に関するディレクトリを表示して、前記第１のファイル記録領域に関するディレクトリは表示しないことを特徴とする再生装置。
【００１６】
【発明の実施の形態】
以下、本発明の実施の具体的な形態について図を用いて説明する。
【００１７】
図１は、本発明に関するファイルシステムの特徴、管理できるファイル数、ＡＶレコーダとの互換性、そしてＰＣでのユーザインターフェースの形態について、それぞれのファイルシステムで比較した表である。
【００１８】
表中、最上段のＡＶＦＳはＡＶ機器、特にＡＶレコーダなどで利用されるファイルシステムを意味しており、ここでは例として特開平１１−３１２３７８号公報に記載のファイルシステムを使用している。
【００１９】
２段目のＰＣＦＳは一般的にＰＣ用記録媒体で使用されるフィイルシステムを意味しており、ここでは例として現在ＤＶＤ等で広く普及しているＵＤＦを使用している。
【００２０】
３段目のファイルシステム（ＡＶＦＳ＞ＡＶＦＳ）は本発明の１つであるＡＶＦＳのサブファイルシステムとして管理ファイル数を拡張し、ファイル管理構造は原則的にメインファイルシステムであるＡＶＦＳと同じにした拡張ＡＶＦＳを持つファイルシステムを意味している。例えば、ＡＶＦＳでファイル管理のために１６ビットの管理番号を使用していた場合、拡張ＡＶＦＳではこの管理番号をＵＤＦに代表されるＰＣＦＳと同等の３２ビットにする。
【００２１】
４段目のファイルシステム（ＡＶＦＳ＋ＰＣＦＳ）は本発明の１つであるＡＶＦＳとＰＣＦＳを並列に持ち、記録、または再生するファイルの種類に応じて管理するファイルシステムを切り替えるファイルシステム、またはディスク使用方法を意味している。例えば、記録するファイルがＡＶファイル（この説明におけるＡＶファイルとは、ＡＶレコーダ、またはそれに準拠するＡＶレコーダ機能付きＰＣで記録される全てのファイルを意味する。）であった場合、ファイルを管理するファイルシステムをＡＶＦＳとし、記録媒体中ＡＶＦＳの管理領域内にファイルを記録する。また再生するファイルがＰＣファイル（この説明におけるＰＣファイルとはＡＶファイル以外の任意のファイルを意味する。従って、ＰＣ上で一般的に取り扱われるＭＰＥＧファイルやＪＰＥＧファイルはＰＣファイルに含まれる。）であった場合、ファイルを管理するファイルシステムをＰＣＦＳとし、記録媒体中ＰＣＦＳの管理領域内に記録されたファイルを再生する。
【００２２】
図１の表中、５段目のファイルシステム（ＡＶＦＳ＞ＰＣＦＳ）は本発明の１つであるＡＶＦＳのサブファイルシステムとしてＰＣＦＳを持つファイルシステムを意味している。このファイルシステムとＡＶＦＳ＋ＰＣＦＳとの違いは、ＡＶＦＳ＋ＰＣＦＳでは、ＰＣファイルは直接ＰＣＦＳで管理され、ＰＣＦＳ管理領域に配置されるが、ＡＶＦＳ＞ＰＣＦＳでは、ＡＶＦＳのサブファイルシステムであるＰＣＦＳで管理され、ＡＶＦＳで管理される管理領域内のＰＣＦＳ管理領域に配置されることである。ここでのサブファイルシステムとは記録媒体全体の領域管理は原則的にメインのファイルシステムで行うが、必要に応じて領域の一部を管理領域とし、その管理領域内に配置するファイルの管理のみを行うファイルシステムを意味する。
【００２３】
最終段のファイルシステム（ＰＣＦＳ＞ＡＶＳＦ）も本発明の１つであるＰＣＦＳのサブファイルシステムとしてＡＶＦＳを持つファイルシステムを意味している。このファイルシステムとＡＶＦＳ＞ＰＣＦＳとの違いは、ＡＶＦＳ＞ＰＣＦＳでは、ＰＣファイルはＡＶＦＳのサブファイルシステムであるＰＣＦＳで管理され、ＡＶＦＳで管理される管理領域内のＰＣＦＳ管理領域に配置されるが、ＰＣＦＳ＞ＡＶＦＳでは直接ＰＣＦＳで管理される。また、ＡＶファイルについてはＡＶＦＳ＞ＰＣＦＳでは直接ＡＶＦＳで管理されＡＶＦＳ管理領域に配置されるが、ＰＣＦＳ＞ＡＶＦＳでは、少なくても記録時にはＰＣＦＳのサブファイルシステムであるＡＶＦＳで管理され、ＰＣＦＳで管理される管理領域内のＡＶＦＳ管理領域に配置される。
【００２４】
次にこれらのファイルシステムで、管理可能なファイル数について比較する。
【００２５】
ＡＶＦＳでは、ファイルを管理するための番号は１６ビットの値で表されているため、管理可能なファイル及びディレクトリ数は最大で６５５３６に制限されている。これは仮に記録容量が６４ＧＢの記録媒体であった場合において、１つのファイルサイズが平均１Ｍバイト程度となり、実質的にＰＣなどで扱われるファイルサイズが平均数十ｋバイトから数百バイト程度であることから、ＰＣ用のファイルシステムとしては不十分であると判断できる。
【００２６】
その他のファイルシステムに関しては、ＰＣファイルをＰＣＦＳまたは拡張ＡＶＦＳでするため取り扱い可能なファイル数に関しては十分である。
【００２７】
次の行はそれぞれのファイルシステムでファイル管理している記録媒体がＡＶレコーダで記録、再生可能かどうかを示している。
【００２８】
ＡＶＦＳではＰＣファイルを含む全てのファイルがＡＶレコーダで記録・再生可能である。ただし、実質的にはＡＶレコーダではＡＶファイルのみを取り扱うことを考慮するとＰＣファイルをＡＶレコーダで記録・再生できる利点は少ないと考えられる。ＰＣＦＳのみを使用した記録媒体はＡＶレコーダでは記録・再生は不可能である。またＡＶレコーダではＰＣＦＳで管理されたファイルに関する情報が検出できないため、最悪の場合、ＰＣＦＳフォーマットされた記録媒体のファイルは、記録媒体がＡＶレコーダでＡＶＦＳにフォーマットされることにより、消去される。ＡＶＦＳをメインファイルシステムの１つに持つファイルシステム（ＡＶＦＳ、ＡＶＦＳ＞ＡＶＦＳ、ＡＶＦＳ＋ＰＣＦＳ、またはＡＶＦＳ＞ＰＣＦＳ）においては、ＡＶファイルは全てＡＶＦＳで管理されるため、ＡＶレコーダで全てのＡＶＦＳで管理されたファイルを記録・再生することは可能である。一方、ＰＣＦＳ＞ＡＶＦＳにおいて、サブファイルシステムとしてのＡＶＦＳで管理されるＡＶファイルを再生することはサブファイル用のＦＳＤ（Ｆｉｌｅ  Ｓｙｓｔｅｍ  Ｄｅｓｃｒｉｐｔｏｒ：ファイルシステムが配置された記録媒体上の位置を指し示すデータ）をＡＶＦＳに準拠した位置、つまり事前にＡＶＦＳで約束された記録媒体上の固定アドレスに配置することで可能となる。しかしながら、ＡＶファイルを記録することは記録媒体の記録領域管理をメインファイルシステムであるＰＣＦＳで行っているため、記録可能なファイルサイズやアドレス管理の難しさ等の点で複雑又は困難になる。
【００２９】
最後にＰＣ上でのインターフェース、特にディスプレイを用いたユーザインターフェースの構築のしやすさ、または使いやすさについて比較する。
【００３０】
ＡＶＦＳで全てのファイルを管理する場合、全てのファイルを同一に取り扱うことが可能であると思えるが、実質的にはＡＶファイルは全てのＡＶ機器で取り扱われるため、決められた規則に基づいたディレクトリ構造（以下、“ディレクトリ構造”とはディレクトリとファイル間の関係を意味する。すなわち、“決められた規則に基づいたディレクトリ構造”とは“ある決められた名称のディレクトリ以下に決められた拡張子を持つファイルが決められたパスで配置される”といったことを意味する。）の下、決められたファイル規則（例えば、ファイル拡張子）で取り扱われることが多い。この点を考慮するとＰＣで自由にＡＶファイルとＰＣファイルを取り扱える環境を提供することは技術的には可能だが、一般ユーザが広くＰＣを使用している現状を考慮すると、記録媒体上でＡＶファイル用に決められた規則がユーザに意図せず破壊されることがないように多くの配慮が必要になり、結果的には他のファイルシステムと同じ情況になると予想できる。インターフェースに関して、例をあげるとＰＣ上でＡＶファイル（つまり、ＡＶ機器用に約束されたディレクトリ構造内のファイル）はＡＶファイル専用のアプリケーションを通して記録再生を行い、ＰＣファイルに関する記録再生はエクスプローラ等のＯＳメーカが記録媒体のファイル管理用に用意したアプリケーションを用いるといった工夫が必要になる。
【００３１】
次に各ファイルシステムにおいてファイル及びファイル管理情報が記録媒体上でどのように配置されるか、またどのようにファイルが管理されるかを図２から図６を用いて説明する。
【００３２】
図２は、ファイルシステムとしてＡＶＦＳが適用された記録媒体のファイル及びファイル配置を示す。
【００３３】
図２中、２０１は記録媒体、２０２はＦＳＤ（Ｆｉｌｅ  Ｓｙｓｔｅｍ  Ｄｅｓｃｒｉｐｔｏｒ）、２０３はファイル及びファイル管理情報が記録される記録エリア、２０４はＭＩＡ（Ｍａｎａｇｅｍｅｎｔ  Ｉｎｆｏｒｍａｔｉｏｎ  Ａｒｅａ）、２０５はファイルを示す。
【００３４】
ＦＳＤ２０２はＭＩＡ２０４内に位置するファイル管理情報の詳細な位置を示す。ファイル管理情報は、情報内容別にテーブル形式で管理されており、管理情報配置テーブル、ファイルテーブル、記録領域テーブル、アロケーションルールセットテーブル、ファイル識別子テーブル等から構成されている。また記録媒体上でファイル管理情報はＭＩＡ２０４内を巡回しながら更新される。
【００３５】
ファイル管理情報を構成する管理情報配置テーブルには、ファイル管理情報内の各テーブルの配置情報が記録されている。具体的には、各テーブルの記録開始番号、テーブル番号からの継続テーブルの有無ないし、継続テーブル番号である。この領域配置情報から、各テーブルのテーブル内容を参照することができる。
【００３６】
ファイルテーブルは、ファイルに対応したファイル識別子テーブル番号、ディレクトリ関係を示すリンク情報、ファイルの属性、拡張属性情報テーブルの番号、ファイルタイプ、ファイル生成時刻、ファイル修正時刻などの情報を含む。ファイルテーブルを参照することにより、各テーブル内の各ファイルに対応したテーブル番号を求めることができる。
【００３７】
記録領域テーブルは、ディスク上の各ファイルの記録位置に関する情報が記録される。具体的には、ファイルの記録開始セクター番号、記録開始位置、記録終了セクター番号、記録終了位置の情報が含まれている。ファイルデータの内容を読み出す際には、この記録領域テーブルから、ファイルデータの記録されているセクター番号を求め、データの読み出しを行う。
【００３８】
アロケーションルールセットテーブルは、ディスク上に配置するデータの分割配置に関する情報などが記録される。これは、データの読み出しが連続して行われるように、ディスク上にデータを記録する際の最小分割サイズを規定したものである。例えば、４０９６セクター（８ＭＢ）単位で連続してセクターを使用する場合には、パラメータとして４０９６をセットする。
【００３９】
ファイル識別子テーブルは、ファイル識別子の名前とファイル識別子の長さの情報を持つ。一つのファイル識別子テーブルを３２バイトとした場合、ファイル識別子長さに４バイトを割り当てると、ファイル識別子の実体には２８バイトのデータ領域を割り当てることができる。
【００４０】
なお、上記テーブルは、各々１６バイト、３２バイトで構成されるが、記録する領域が不足する場合には、複数のテーブルを使用して、記録するデータ長を増やすことができる。
【００４１】
このようにして、ＡＶＦＳは固定アドレスのＦＳＤ２０２を先頭にＭＩＡ２０４内のファイル管理情報を探し出し、ファイル管理情報を構成する各種テーブルからファイル及びファイル管理情報記録エリア２０３内に配置される各種ファイルの位置及び名称と特定し、ファイル管理を行う。
【００４２】
図３は、ファイルシステムとしてＰＣＦＳが適用された記録媒体のファイル及びファイル配置を示す。ここではＵＤＦの構成を例として使用する。
【００４３】
図３中、２０１は記録媒体、３０１はＡＶＤＰ（Ａｎｃｈｏｒ  Ｖｏｌｕｍｅ  Ｄｅｓｃｒｉｐｔｏｒ）、３０２はＶＤＳ（Ｖｏｌｕｍｅ  Ｄｅｓｃｒｉｐｔｏｒ  Ｓｅｑｕｅｎｃｅ）、３０３はＦＳＤＳ（Ｆｉｌｅ  Ｓｅｔ  Ｄｅｓｃｒｉｐｔｏｒ  Ｓｅｑｕｅｎｃｅ）、３０４はＦＩＤ（Ｆｉｌｅ  Ｉｄｅｎｔｉｆｉｅｒ  Ｄｅｓｃｒｉｐｔｏｒ）、３０５はＩＣＢ（ＩｎｆｏｒｍａｔｉｏｎＣｏｎｔｒｏｌ  Ｂｌｏｃｋ）、そして２０５はファイルを示す。
【００４４】
原則的に固定アドレスに位置するＡＶＤＳ３０１から特定できるＶＤＳ３０２にはボリュームの中身の記述があり、ＶＤＳ３０２に指し示されるＦＳＤＳ３０３には記録媒体全体のファイル数や記録日時等が記載される。またＦＳＤＳ３０３はファイル名または属性の一部を示すＦＩＤ３０４を経由し、ファイルのデータの長さ、場所、属性をなどのデータが記載されたＩＣＢ３０５を通じてファイル２０５にアクセスされる。ディレクトリのＩＣＢ３０５はそのディレクトリの属性及びアクセス可能なファイル及びディレクトリのＦＩＤ３０４を指し示す。
【００４５】
図４は、ファイルシステムとしてＡＶＦＳ＞ＡＶＦＳが適用された記録媒体のファイル及びファイル配置を示す。
【００４６】
図４中、２０２はメインファイルシステムであるＡＶＦＳのＦＤＳ、２０３はメインファイルシステムにより管理されたファイル及びファイル管理情報が記録される記録エリア、２０４はメインファイルシステムであるＡＶＦＳのＭＩＡ、４０１はサブファイルシステムである拡張ＡＶＦＳのＦＳＤ、４０２はサブファイルシステムである拡張ＡＶＦＳのＭＩＡ、４０３はメインファイルシステムに直接管理されるＡＶファイル、４０５はサブファイルシステムの管理領域として割り当てられたブロック、４０４はサブファイルシステムにより管理されるＰＣファイルを示めす。
【００４７】
図４のファイルシステム、ＡＶＦＳ＞ＡＶＦＳおいて、サブファイルシステム用ＦＳＤ４０１、及びサブファイルシステム用ＭＩＡ４０２はメインファイルシステムにおける特殊ファイルとして扱われる。この場合における特殊ファイルとはＡＶファイルとは異なり、特定の属性やファイル名称をつけることでＰＣ用の管理ファイルとして定義されるファイルを示す。通常、任意のＡＶレコーダで記録再生互換を図るため、ＡＶファイルは決められたディレクトリ構造を持つ。従って、サブファイルシステムのＦＳＤ４０１とＭＩＡ４０２を意味するファイルはこのディレクトリ構造とは別に決められたディレクトリ構造下で管理され、ＡＶレコーダでは存在を認識できるが、直接アクセスできないファイルとする。
【００４８】
またサブファイルシステムによって管理されるＰＣファイル４０４はサブファイルシステムの管理領域４０５内にのみ記録される。サブファイルシステム内においてこれらのＰＣファイル４０４は通常のファイルとして取り扱われ、サブファイルシステム管理領域４０５はメインファイルシステムにおいては、サブファイルシステムのＦＳＤ４０１とＭＩＡ４０２同様に１つのファイルとして取り扱われ、ＡＶレコーダからは直接アクセス不可能なファイルとする。
【００４９】
図１１は、メインファイルシステムにより管理されたファイル及びファイル管理情報が記録される記録エリア２０３をメインファイルシステムで管理する最小単位のファイルサイズで分割した場合の図を示す。この図における各ブロックはメインファイルシステムで取り扱い可能な最小単位のブロックサイズであり、通常ＡＶファイルを取り扱うシステムにおいては、数１０Ｍバイト単位がこのブロックサイズとして割り当てられる。
【００５０】
したがって、サブファイルシステムの管理領域４０５は必要に応じて、このブロックサイズで拡張が行われ、サブファイルシステムの管理領域４０５の増減に伴って、メインファイルシステム内のファイル管理情報も変更される。
【００５１】
またサブファイルシステムの管理領域４０５内でＰＣファイルの増減が行われた場合でサブファイルシステム管理領域４０５に変更がない場合は、サブファイルシステムのシステム管理情報のみが変更し、メインファイルシステムのシステム管理情報に変更は生じない。
【００５２】
図５は、ファイルシステムとしてＡＶＦＳ＋ＰＣＦＳが適用された記録媒体のファイル及びファイル配置を示す。
【００５３】
図５中、２０３はファイル及びファイル管理情報が記録される記録エリア、５０１はＡＶＦＳのファイル及びファイル管理情報が記録される記録エリア、５０２はＰＣＦＳのファイル及びファイル管理情報が記録される記録エリアである。ＡＶＦＳ及びＰＣＦＳそれぞれのファイルシステムにおけるファイル管理方法は、基本的には図２のＡＶＦＳと図３のＰＣＦＳと同じである。
【００５４】
お互いのファイルシステム内での領域管理方法についてはいくつか方法があるが、記録媒体使用時に必要に応じてＡＶＦＳとＰＣＦＳのそれぞれで管理されるファイル及びファイル管理情報が記録される記録エリア５０１，５０２の割合を変更する場合には両方のファイルシステムで共通な領域管理を行う手段が必要となる。ただし、お互いに割り当てられた記録エリアはそれぞれのファイルシステムで管理されていることより、両方の領域管理情報から記録媒体全体に割り当てられたファイル及びファイル管理情報が記録される記録エリア２０３の使用状況を把握することも可能である。
【００５５】
図６は、ファイルシステムとしてＡＶＦＳ＞ＰＣＦＳが適用された記録媒体のファイル及びファイル配置を示す。
【００５６】
図６中、２０２はメインファイルシステムであるＡＶＦＳのＦＤＳ、２０３はメインファイルシステムにより管理されたファイル及びファイル管理情報が記録される記録エリア、２０４はメインファイルシステムであるＡＶＦＳのＭＩＡ、６０１はサブファイルシステムであるＰＣＦＳのＦＳＤ、６０２はサブファイルシステムであるＰＣＦＳのＭＩＡ、４０３はメインファイルシステムに直接管理されるＡＶファイル、４０５はサブファイルシステムの管理領域として割り当てられたブロック、４０４はサブファイルシステムにより管理されるＰＣファイルを示している。
【００５７】
この図において、サブファイルシステムのＦＤＳ６０１は従来のＰＣＦＳでのＶＤＰ３０２とＦＳＤＳ３０３とをサブファイルシステムに適した形式に変換し、ＦＤＳ６０１用エリアに配置したものを想定し、サブファイルシステムのＭＩＡ６０２は従来のＰＣＦＳでのＦＩＤ３０４とＩＣＢ３０５とを専用に設けたＭＩＡ領域内にテーブル管理方式同様に集中的に記録した場合を想定している。しかしながらこの形式は特に限定されたものでなく、当然ながらサブファイルシステムの管理領域内に従来同様の方式でＦＩＤ３０４やＩＣＢ３０５を配置することに問題はない。
【００５８】
図６のファイルシステム、ＡＶＦＳ＞ＰＣＦＳおけるサブファイルシステムとメインファイルシステムとの関係は図４のＡＶＦＳ＞ＡＶＦＳでの２つのファイルシステムとの関係とほぼ同じであり、サブファイルシステム用ＦＳＤ６０１、及びサブファイルシステム用ＭＩＡ６０２はメインファイルシステムにおける特殊ファイルとして扱われ、ＡＶ用に設けられたディレクトリ構造とは別に決められたディレクトリ構造下で管理され、ＡＶレコーダでは存在を認識できるが、直接アクセスできないファイルとする。
【００５９】
またサブファイルシステムによって管理されるＰＣファイル４０４はサブファイルシステムの管理領域４０５内にのみ記録され、サブファイルシステム管理領域として割り当てられたブロック４０５はメインファイルシステムにおいては、サブファイルシステムのＦＳＤ４０１とＭＩＡ４０２同様に１つのファイルとして取り扱われ、ＡＶレコーダからは直接アクセスできないファイルとする。
【００６０】
図７は、ファイルシステムとしてＰＣＦＳ＞ＡＶＦＳが適用された記録媒体のファイル及びファイル配置を示す。
【００６１】
図７中、２０１は記録媒体、３０１はメインファイルであるＰＣＦＳのＡＶＤＰ、３０２はＶＤＳ、３０３はＦＳＤＳ、３０４はＦＩＤ、３０５はＩＣＢ、４０４はメインファイルシステムによって管理されるＰＣファイル、また４０１はサブファイルシステムＡＶＦＳ用ＦＳＤ、７０１はサブファイルシステム用ＭＩＡ、そして４０３はサブファイルシステムによって管理されるＡＶファイルを示す。
【００６２】
図７のファイルシステム、ＰＣＦＳ＞ＡＶＦＳおけるサブファイルシステムとメインファイルシステムとの関係は図４のＡＶＦＳ＞ＡＶＦＳでの２つのファイルシステムとの関係とほぼ同じであり、サブファイルシステム用ＦＳＤ４０１、及びサブファイルシステム用ＭＩＡ４０２はメインファイルシステム上で特殊な属性を持つファイルとして扱われる。またＡＶレコーダで存在を認識させるため、サブファイルシステムのＦＳＤを固定アドレスに配置することも可能である。この場合、アドレスに応じてサブファイルシステムのＦＳＤ４０１はメインファイルシステムであるＰＣＦＳから全く操作のできないファイルとなる可能性があるが特に問題が生じることはない。ただし、ＡＶレコーダで直接サブファイルシステムであるＡＶＦＳ上にデータを記録するためには、ＰＣＦＳでＡＶＦＳに割り当てる記録エリアをできるだけ多くする必要が生じる。このためにＰＣで使用する場合にはＡＶＦＳの管理領域を最小にし、記録媒体をＰＣから取り外す場合にはＡＶＦＳにできるだけ多くの領域を管理させるようにＰＣＦＳで領域管理するといった仕組みが有効になる。
【００６３】
最後に図８から図１０を用いて、ＰＣ用（ＡＶＦＳ拡張とＰＣＦＳ）とＡＶ用（ＡＶＦＳ）の２つのファイルシステムを組み合わせた場合においてもＰＣ上で２つのファイルシステムを統合したユーザインターフェースが提供できることを示す。ここでは例として、ＡＶＦＳ＞ＡＶＦＳを用いる。図８はメインファイルのディレクトリ構造を示すものである。この図においてディレクトリ「ＡＶＤＩＲ」はＡＶ用ファイルを格納する専用ディレクトリとし、「ＰＣＤＩＲ」はＡＶ用ファイル以外のファイルを格納する専用ディレクトリとする。従って、図４のＡＶＦＳ＞ＡＶＦＳの説明で使用したサブファイルシステム管理方法を用いると「ＰＣＤＩＲ」の下にサブファイルシステム用ＦＳＤ４０１、サブファイルシステム用のＭＩＡ４０２、そしてサブファイルシステムの管理エリアとして割り当てられたブロック４０５を示すファイルがそれぞれあらかじめ設定される形式で存在する。図９はＰＣファイルを管理するサブファイルシステムのディレクトリ構造であり、任意の形式を持つ。図１０はこの２種類のファイルシステムで管理されるファイルを統合したディレクトリ構造である。ＡＶ用ファイルシステムでは一般的に決定されたディレクトリ名称の下にファイルは配置される。そこでこの決定されたディレクトリの内、直接ＰＣ上でユーザが取り扱うことがないものをＰＣ用ファイルシステムのパスに付け替えることで統合的なインターフェースを構築することが可能となる。
【００６４】
本発明の実施例によれば、ＡＶＦＳ（ＡＶ用ファイルシステム）を主にＰＣＦＳ（ＰＣ用ファイルシステム）を組み合わせる、またＡＶＦＳとＰＣＦＳを併用することで、従来のＡＶ用ファイルシステムとの互換性を保ちつつも、より多くのファイルを管理できる新しいファイルシステムを提供し、１枚のディスクをＡＶ機器とＰＣ間で使用できる環境を実現することが可能となる。
【００６５】
【発明の効果】
本発明によれば、２つのファイルシステムを組み合わせる、また併用することで、従来の一方のファイルシステムとの互換性を保ちつつも、より多くのファイルを管理できる新しいファイルシステムを提供し、１枚のディスクを複数環境で使用できる環境を実現することが可能となる。
【図面の簡単な説明】
【図１】ファイルシステム比較する図である。
【図２】ＡＶＦＳの記録媒体上の配置図である。
【図３】ＰＣＦＳ（ＵＤＦ）の記録媒体上の配置図である。
【図４】拡張ＡＶＦＳをサブファイルシステムとして持つＡＶＦＳの記録媒体上の配置図である。
【図５】同時にＡＶＦＳとＰＣＦＳの２つのファイルシステムを持つ場合の記録媒体上の配置図である。
【図６】ＰＣＦＳをサブファイルシステムとして持つＡＶＦＳの記録媒体上の配置図である。
【図７】ＡＶＦＳをサブファイルシステムとして持つＰＣＦＳの記録媒体上の配置図である。
【図８】ＡＶＦＳのディレクトリ構造を示す図である。
【図９】ＡＶＦＳ内の拡張ＡＶＦＳ、又はＰＣＦＳのディレクトリ構造を示す図である。
【図１０】新ファイルシステムにおける仮想ディレクトリ構造を示す図である。
【図１１】ＡＶＦＳ管理領域をブロック単位で分割し管理することを示す記録媒体上の配置図である。
【符号の説明】
２０１…記録媒体、２０２…ＦＳＤ、２０３…ファイル及びファイル管理情報が記録される記録エリア、２０４…ＭＩＡ、２０５…ファイル、３０１…ＡＶＤＰ、３０２…ＶＤＳ、３０３…ＦＳＤＳ、３０４…ＦＩＤ、３０５…ＩＣＢ、４０１…サブファイルシステム用ＦＳＤ（拡張ＡＶＦＳ）、４０２…サブファイルシステム用ＭＩＡ（拡張ＡＶＦＳ）、４０３…ＡＶファイル、４０４…ＰＣファイル、４０５…サブファイルシステム管理領域ブロック、５０１…ＡＶＦＳのファイル及びファイル管理情報が記録される記録エリア、５０２…ＰＣＦＳのファイル及びファイル管理情報が記録される記録エリア、６０１…サブファイルシステム用ＦＳＤ（ＰＣＦＳ）、６０２…サブファイルシステム用ＭＩＡ（ＰＣＦＳ）、７０１…サブファイルシステム用ＭＩＡ（ＡＶＦＳ）。
【図１】
2005032283.tif 000003
【図２】
2005032283.tif 000004
【図３】
2005032283.tif 000005
【図４】
2005032283.tif 000006
【図５】
2005032283.tif 000007
【図６】
2005032283.tif 000008
【図７】
2005032283.tif 000009
【図８】
2005032283.tif 000010
【図９】
2005032283.tif 000011
【図１０】
2005032283.tif 000012
【図１１】
2005032283.tif 000013